(57)【要約】      （修正有）【課題】コネクタ端子の差込口の方向について様々な角度設定が可能である電子機器のコネクタ構造を提供する。【解決手段】コネクタ構造１０は、ベース開口を有するコネクタベース部２ａと、コネクタベース部に保持され、コネクタベース部の法線に並行する第１の回転軸ＲＡ１を中心に回動可能な第１の回動部と、第１の回動部に保持され、第１の回転軸に交差する第２の回転軸ＲＡ２を中心に回動可能な第２の回動部と、第２の回動部に保持され、第１の回動部及び第２の回動部を介してベース開口を通過する電線を有するコネクタ端子とを有する。コネクタベース部及び第１の回動部は、第１の回転軸に対称に形成された対の円弧溝ＣＡＧ及び対の円弧溝内でそれぞれ動く対の突起２４を有し、第１の回動部及び第２の回動部は、第２の回転軸に対称に形成された対の円弧溝２２及び対の円弧溝内でそれぞれ動く対の突起１１ａ、１１ｂを有する。【選択図】図４
2020035569.tif 000002
【特許請求の範囲】
【請求項１】
ベース開口を有するコネクタベース部と、
前記コネクタベース部に保持され、前記コネクタベース部の法線に並行する第１の回転軸を中心に回動可能な第１の回動部と、
前記第１の回動部に保持され、前記第１の回転軸に交差する第２の回転軸を中心に回動可能な第２の回動部と、
前記第２の回動部に保持され、前記第１の回動部及び前記第２の回動部を介して前記ベース開口を通過する電線を有するコネクタ端子を含み、
前記コネクタベース部及び前記第１の回動部は、前記第１の回転軸に対称に形成された対の円弧溝及び前記対の円弧溝内でそれぞれ動く対の突起を有し、
前記第１の回動部及び前記第２の回動部は、前記第２の回転軸に対称に形成された対の円弧溝及び前記対の円弧溝内でそれぞれ動く対の突起を有する
ことを特徴とする電子機器のコネクタ構造。
【請求項２】
前記第１の回動部が前記第１の回転軸に並行する対向側壁部を備え、前記対向側壁部に前記対の円弧溝の２対が設けられ、
前記第２の回動部は前記対の円弧溝の２対内をそれぞれ滑動する前記対の突起の２対を有し、
前記対向側壁部に前記対の円弧溝の２対を通過する直線溝が設けられている
ことを特徴とする請求項１に記載の電子機器のコネクタ構造。
【請求項３】
前記第１の回動部の前記対の円弧溝の各々は、その対向する内壁に前記対の突起の滑動を制限する対向する凸部対を有する
ことを特徴とする請求項１又は２に記載の電子機器のコネクタ構造。
【請求項４】
前記対の円弧溝の前記凸部対は、前記第２の回転軸周りに９０°間隔で設けられていることを特徴とする請求項３に記載の電子機器のコネクタ構造。
【請求項５】
前記コネクタベース部及び前記第１の回動部の前記対の円弧溝の各々の両端部は、前記対の突起の滑動を停止させるストッパーである
ことを特徴とする請求項１乃至４の何れか１つに記載の電子機器のコネクタ構造。
【請求項６】
前記コネクタベース部は前記ベース開口の周りにベース底壁を備え、
前記第１の回動部は、その底部において前記ベース底壁上を滑動し、
前記コネクタベース部の前記ベース底壁及び前記第１の回動部の前記底部は、互いに相補する形状の凹部及び凸部を有する
ことを特徴とする請求項１乃至５の何れか１つに記載の電子機器のコネクタ構造。
【請求項７】
前記コネクタベース部の前記ベース底壁及び前記第１の回動部の前記底部の前記凹部及び凸部は、前記第１の回転軸周りに９０°間隔で設けられていることを特徴とする請求項６に記載の電子機器のコネクタ構造。
【請求項８】
前記第１の回動部の前記底部に前記対の突起が設けられている
ことを特徴とする請求項６又は７に記載の電子機器のコネクタ構造。
【請求項９】
筐体と前記筐体に設けられたコネクタ構造とを有する電子機器であって、
前記コネクタ構造は、
前記筐体に設けられたコネクタベース開口を有するコネクタベース部と、
前記コネクタベース部に保持され、前記コネクタベース部の法線に並行する第１の回転軸を中心に回動可能な第１の回動部と、
前記第１の回動部に保持され、前記第１の回転軸に交差する第２の回転軸を中心に回動可能な第２の回動部と、
前記第２の回動部に保持され、前記第１の回動部及び前記第２の回動部を介して前記ベース開口を通過する電線を有するコネクタ端子を含み、
前記コネクタベース部及び前記第１の回動部は、前記第１の回転軸に対称に形成された対の円弧溝及び前記対の円弧溝内でそれぞれ動く対の突起を有し、
前記第１の回動部及び前記第２の回動部は、前記第２の回転軸に対称に形成された対の円弧溝及び前記対の円弧溝内でそれぞれ動く対の突起を有する
ことを特徴とする電子機器。
【請求項１０】
前記筐体に対して回動自在に結合した長手のスタンドと、
前記スタンドに干渉しない位置に前記コネクタ構造が設けられることを特徴とする請求項９に記載の電子機器。
【発明の詳細な説明】
【技術分野】
【０００１】
本発明は電子機器に関し、電子機器におけるＬＡＮケーブル等の接続ケーブルが接続されるコネクタ端子の差込口の方向を変換するコネクタ構造に関する。
【背景技術】
【０００２】
特許文献１において、接続ケーブルを接続する外部接続端子部を保持する可動支持部と、電子機器本体の背面に設けられ、可動支持部を保持するベース部と、ベース部に対して可動支持部を回転軸を支点として回転させる回転機構と、回転機構により可動支持部を回転軸を支点として回転させて外部接続端子部の接続ケーブル差し込み口の角度を、電子機器本体の設置角度に応じて調整する調整機構とを具備するコネクタ構造が記載されている。
【０００３】
卓上設置および壁掛け設置の両方が可能な電子機器において、その設置角度すなわち姿勢を複数段階に変えられるコネクタ構造が求められている。電子機器のコネクタ構造には、従来から様々な構造が開発されている。
【先行技術文献】
【特許文献】
【０００４】
【特許文献１】特開２０１３−８５１４号公報
【発明の概要】
【発明が解決しようとする課題】
【０００５】
しかしながら、特許文献１に開示された従来のコネクタ構造では、コネクタ差し込み口の角度の変換範囲が水平方向を基準に鉛直上方向もしくは下方向の０度から９０度の範囲のみでしか変換できないという課題があった。
【０００６】
本発明は上記した従来の問題に鑑みなされたものであり、その目的は、電子機器におけるＬＡＮケーブル（ＲＪ４５）等が接続されるコネクタ端子の差込口の方向について様々な角度設定が可能である電子機器のコネクタ構造を提供することにある。
【課題を解決するための手段】
【０００７】
本発明に係る電子機器のコネクタ構造は、ベース開口を有するコネクタベース部と、
前記コネクタベース部に保持され、前記コネクタベース部の法線に並行する第１の回転軸を中心に回動可能な第１の回動部と、
前記第１の回動部に保持され、前記第１の回転軸に交差する第２の回転軸を中心に回動可能な第２の回動部と、
前記第２の回動部に保持され、前記第１の回動部及び前記第２の回動部を介して前記ベース開口を通過する電線を有するコネクタ端子を含み、
前記コネクタベース部及び前記第１の回動部は、前記第１の回転軸に対称に形成された対の円弧溝及び前記対の円弧溝内でそれぞれ動く対の突起を有し、
前記第１の回動部及び前記第２の回動部は、前記第２の回転軸に対称に形成された対の円弧溝及び前記対の円弧溝内でそれぞれ動く対の突起を有することを特徴とする。
【０００８】
本発明に係る電子機器は、筐体と前記筐体に設けられたコネクタ構造とを有する電子機器であって、
前記コネクタ構造は、
前記筐体に設けられたコネクタベース開口を有するコネクタベース部と、
前記コネクタベース部に保持され、前記コネクタベース部の法線に並行する第１の回転軸を中心に回動可能な第１の回動部と、
前記第１の回動部に保持され、前記第１の回転軸に交差する第２の回転軸を中心に回動可能な第２の回動部と、
前記第２の回動部に保持され、前記第１の回動部及び前記第２の回動部を介して前記ベース開口を通過する電線を有するコネクタ端子を含み、
前記コネクタベース部及び前記第１の回動部は、前記第１の回転軸に対称に形成された対の円弧溝及び前記対の円弧溝内でそれぞれ動く対の突起を有し、
前記第１の回動部及び前記第２の回動部は、前記第２の回転軸に対称に形成された対の円弧溝及び前記対の円弧溝内でそれぞれ動く対の突起を有することを特徴とする。
【発明の効果】
【０００９】
本発明によれば、コネクタ端子の差込口の方向の様々な角度設定が可能である電子機器及びそのコネクタ構造が提供される。
【図面の簡単な説明】
【００１０】
【図１】本発明の実施例に係るコネクタ構造が適用された電子機器の外観を示す背面側から見た斜視図である。
【図２】本発明の実施例の電子機器の側面図である。
【図３】本発明の実施例の電子機器の背面図である。
【図４】本発明の実施例に係るコネクタ構造を示す斜視図である。
【図５】本発明の実施例に係るコネクタ構造におけるコネクタベース部を示す背面側から見た正面図である。
【図６】図５のＡ−Ａ線に沿ってコネクタベース部を切断して示す断面図である。
【図７】本発明の実施例に係るコネクタ構造におけるコネクタベース部を示す前面側から見た背面図である。
【図８】本発明の実施例に係るコネクタ構造における方向変換部を示す背面側から見た正面図である。
【図９】本発明の実施例に係るコネクタ構造における方向変換部を示す前面側から見た背面図である。
【図１０】本発明の実施例に係るコネクタ構造における端子収容部を示す斜視図である。
【図１１】本発明の実施例に係るコネクタ構造における方向変換部を示す背面側から見た天面図である。
【図１２】本発明の実施例に係るコネクタ構造におけると方向変換部と端子収容部の組み立てを説明する背面側から見た天面図である。
【図１３】本発明の実施例に係るコネクタ構造におけると方向変換部とコネクタベース部の組み立てを説明する背面側から見た天面図である。
【図１４】本発明の実施例に係るコネクタ構造におけると方向変換部とコネクタベース部の組み立てを説明する背面側から見た天面図である。
【発明を実施するための形態】
【００１１】
図面を参照しつつ本発明による実施例の電子機器及びそのコネクタ構造の例について詳細に説明する。なお、本発明は以下の実施例に限定されるものではない。
【００１２】
（電子機器）
図１は、電子機器１であるＩＰ電話機（以下、単に電話機という）の外観を示す背面側から見た斜視図である。図２は、かかる電子機器の背面部（以下、ベース部２という）を示す図である。電子機器１は、本体の筐体１ａのベース部２にて、スタンド３によって自立している。
【００１３】
以下の説明では、電話機の背面側から見て、電子機器の壁掛け時（または卓上の傾斜時）における電子機器の上方向をＶ１方向と、下方向をＶ２方向と、左方向をＵ１方向と、右方向をＵ２方向と、前面方向をＷ１方向と、背面方向をＷ２として説明する。
【００１４】
電話機の本体の筐体１ａは角部が丸められた略長方体である。該筐体はプラスチックで成形されており、例えば表ケース半体と裏ケース半体とを組み合わせた構造として構成できる。
【００１５】
図１に示すように、筐体１ａの上半分領域には、ベース部２に一体成形された３組のフック部の対４ａ，４ｂ，４ｃが設けられている。
【００１６】
ベース部２において左右方向に一対のフック部が並べられている。一対のフック部の組が平行に３段階でＶ方向に並べられている。３組のフック部の対４ａ，４ｂ，４ｃが電子機器１の角度調整と本体の自立保持に用いられる。
【００１７】
スタンド３は、その回動軸３ａにて、フック部４より下のベース部２の略中央の左右方向に並べて設けられた２個の本体軸受部５ａ，５ｂによって回動可能に取り付けられている。
【００１８】
連結部材であるリンク６は、その回動軸６ａにて、スタンド３の中央からベース部２寄りに設けられた一対のスタンド軸受部３ｂによって回動可能に取り付けられている。
【００１９】
リンク６の一対の自由端にはそれぞれ先端軸６ｃが設けられている。一対の先端軸６ｃが一対のフック部４にそれぞれ嵌合されることにより、スタンド３とベース部２との成す角度が調整される。電子機器１は、ベース部２のリンク６と共にスタンド３により自立保持される。
【００２０】
スタンド３の下端のステー軸３ｃの両下端側面は卓に接触する滑り止め部材７が取り付けられている。なお、ベース部２の下端にも滑り止め部材７が取り付けられている。
【００２１】
なお、図示しないが、筐体の表側には、例えば、利用者に対して相手先のダイヤル番号や状態を表示する液晶表示装置がその上部に設けられ、その中央部に多数の機能ボタンが設けられ、その下部にダイヤルボタンが設けられ、表側の右側に送受話器が載置されている。
【００２２】
また、図１に示すように、ベース部２の一対のフック部４の間には、ベース部２から高さｈ１で箱状に突き出て凸部８が形成されている。凸部８の表面には、抜け止め部８ａが形成されている。抜け止め部８ａは壁掛けピン（図示せず）の頭部を係合させるための穴である。凸部８の高さｈ１はフック部４の高さ及びスタンド３の厚さ以上である。
【００２３】
また、図１に示すように、ベース部２の一対のフック部４の間の凸部８とフック部４及びスタンド３の間には、ベース部２から高さｈ２で略筒状に突き出たコネクタ構造１０が形成されている。
【００２４】
なお、壁掛け設置用に設定する際には、図２（ａ）のように、スタンド３のステー軸３ｃを矢印に示す下方に引っ張ってリンク６の先端軸６ｃをベース部２のフック部４から外し、図２（ｂ）のように、リンク６を矢印に示すようにスタンド３の先端３ｃ側へ回転させ、スタンド３の収納スペース３ｄに収納し、図２（ｃ）のように、スタンド３を矢印に示す下方に回転させ、図３のように、ベース部２へスタンド３が折り畳み込まれる。
【００２５】
（コネクタ構造）
図４に示すように、コネクタ構造１０は、上記ベース部２に一体成形されたコネクタベース部２ａと、これに組み付けた方向変換部２０と、これに組み付けた端子収容部３０とから構成されている。端子収容部３０には、コネクタ端子ＣＮＴが保持される。コネクタ端子ＣＮＴは電子機器内部の回路基板（図示せず）に接続するための電線ＫＢＬを備える。電線ＫＢＬは端子収容部３０及び方向変換部２０を介してベース開口部（図示せず）を通過させ当該回路基板に接続される。
【００２６】
（コネクタベース部及び方向変換部の関係）
コネクタベース部２ａに保持される方向変換部２０は、コネクタベース部２ａの法線に並行する第１の回転軸ＲＡ１を中心に自転及び回動可能な第１の回動部となるように、構成されている。
【００２７】
図５に示すように、コネクタベース部２ａには、一段落ち込んだ円形穴部の底としてベース底壁部２ｂが円板状の薄肉部分として設けられている。
【００２８】
図５〜図７に示すように、コネクタベース部２ａの当該円形穴部の内周壁２ｃには、その円形の中心としての第１の回転軸ＲＡ１に対称に形成された対の円弧溝ＣＡＧが形成されている。一対の円弧溝ＣＡＧは当該円形穴部の内周壁の周方向に第１の回転軸ＲＡ１を中心に１８０°の角度間隔で形成されている。円弧溝ＣＡＧの各々の一方端部には、第１の回転軸ＲＡ１に並行に沿って切り込むように形成された縦のスリット３１が設けられている。対の円弧溝ＣＡＧのスリット３１は当該円形穴部の直径上に位置するように設けられている。この対のスリット３１の各端部から周方向に横に延びるように円弧溝ＣＡＧは形成されている。このように、方向変換部２０を保持するコネクタベース部２ａは、第１の回転軸ＲＡ１に対称に形成された対の円弧溝ＣＡＧを有する。また、ベース底壁部２ｂには、コネクタ端子からの電線（図示せず）を通過させるためのベース開口部３４が形成されている。
【００２９】
一方、図８及び図４に示すように、方向変換部２０は、第１の回転軸ＲＡ１中心の円形状の周壁部２０Ｐの部分（第１の回転軸ＲＡ１に並行する）と、第１の回転軸ＲＡ１に並行する一対の対向側壁部２０Ｓ（上下の平らな側面）と、これらに一体化されている底部２０Ａとを備え、第２の回転軸ＲＡ２を含み第１の回転軸ＲＡ１に垂直な平面の断面がコ字状形状であり、左方向（Ｕ１）と背面方向（Ｗ２）が開放されている筒状体である。
【００３０】
方向変換部２０は、底部２０Ａにおいて第１の回転軸ＲＡ１の周りの開口部２５と、対の円弧溝ＣＡＧに沿って滑動する矩形体状の滑動突起２４と、を備えている。滑動突起２４は方向変換部２０の底部２０Ａを延長しているように第１の回転軸ＲＡ１を中心に１８０°の角度間隔で形成されている。このように、方向変換部２０は、対の円弧溝ＣＡＧ内でそれぞれ滑動する対の滑動突起２４を、その底部２０Ａにおいて有している故に、電子機器の厚さ方向（背面方向）のスペースの消費を削減でき、電子機器の薄型化が期待できる。
【００３１】
コネクタベース部２ａと方向変換部２０は、対の滑動突起２４をコネクタベース部２ａのスリット３１に通して方向変換部２０をコネクタベース部２ａに嵌合して取り付けた後に、方向変換部２０の底部２０Ａがコネクタベース部２ａのベース底壁部２ｂに接触し滑動して、方向変換部２０が第１の回転軸ＲＡ１を中心にコネクタベース部２ａに対して自転及び回動可能となる構造を有している。
【００３２】
さらに、図５、図６に示すように、コネクタベース部２ａのベース底壁部２ｂには上下左右に４つの半円凹部３２が設けられている。また、図９に示すように、方向変換部２０の底部２０Ａにも該半円凹部３２に対応し接する２つの半円凸部２３が設けられている。すなわち、コネクタベース部２ａのベース底壁部２ｂの凹部は、第１の回転軸ＲＡ１周りに９０°角度間隔で設けられている。方向変換部２０の底部２０Ａの凸部は、第１の回転軸ＲＡ１周りに１８０°角度間隔で設けられている。半円凹部３２と半円凸部２３がそれぞれ嵌合することでコネクタベース部２ａに対する方向変換部２０の固定を可能としている。コネクタベース部２ａのベース底壁部２ｂ及び方向変換部２０の底部２０Ａは、互いに相補する形状の凹部及び凸部を有することにより、方向変換部２０の回転位置決めとして第１の回転軸ＲＡ１周りの角度位置を複数設定できる。当該凹部及び凸部は、第１の回転軸ＲＡ１周りに９０°や１８０°以外の角度間隔で設けられていてもよい。
【００３３】
また、図５、図６に示すように、コネクタベース部２ａのベース底壁部２ｂの該半円凹部３２に対応して、図７に示すように、対の円弧溝ＣＡＧの半円凹部３２を通る半径方向延長線上にて、円弧凸部３５が設けられている。この円弧凸部３５は、方向変換部２０の滑動突起２４を位置決めした状態で固定するロック機能を発揮する。方向変換部２０の滑動突起２４が円弧凸部３５の位置に至ると、円弧凸部３５の峰部が方向変換部２０の滑動突起２４に押し付けられるため、円弧凸部３５の弾性力によって、方向変換部２０の底部２０Ａがコネクタベース部２ａのベース底壁部２ｂに着座した（当接した）状態でガタ付きが少なくなり固定される。
【００３４】
またさらに、図７に示すように、コネクタベース部２ａの対の円弧溝ＣＡＧにはストッパー３３が設けられており、方向変換部２０が第１の回転軸ＲＡ１を中心に３６０°同一方向に回転し続けることを抑制している。ストッパー３３により、コネクタ端子ＣＮＴと電子機器内部の回路基板に接続する電線ＫＢＬの捩れによる断線を防止する。すなわち、コネクタベース部２ａの対の円弧溝ＣＡＧの各々の両端部は、滑動突起２４の滑動を停止させるストッパー３３として機能する。本例では、方向変換部２０は、滑動突起２４をスリット３１に嵌めた位置から反時計回りに１５０°以上は回転できない構造となっている。
【００３５】
（方向変換部及び端子収容部の関係）
図４に示す方向変換部２０に保持される端子収容部３０は、第１の回転軸ＲＡ１に例えば直角に交差する第２の回転軸ＲＡ２を中心に自転及び回動可能な第２の回動部となるように、構成されている。
【００３６】
図１０及び図４に示すように、方向変換部２０の対向側壁部２０Ｓには、対称に形成され互いに連結した斜め直線溝２１及び対の円弧溝２２の２対が貫通溝として設けられている。すなわち、方向変換部２０は、第２の回転軸ＲＡ２に対称に形成された２対の円弧溝２２（第２の回転軸を中心とする円形の一部）を有する。斜め直線溝２１は第１の回転軸ＲＡ１に直交する平面（方向変換部２０の背面方向側の端面２０Ｋ）からに例えば４５°の角度で円弧溝２２の２対を通過するように形成されている。
【００３７】
方向変換部２０の対の円弧溝２２の各々の両端部は、対の円柱突起１１ａ、１１ｂの滑動を停止させるストッパーとして機能する。
【００３８】
方向変換部２０の対の円弧溝２２の各々は、その対向する内壁に対の突起の滑動を制限する対向する凸部対ＰＰＴを有する。対の円弧溝２２の各々の両端部近傍には溝中心に左右対称に凸部対ＰＰＴが設けられ、端子収容部３０の円柱突起１１ａ、１１ｂの直径より対向する凸部対ＰＰＴの間の幅を小さくすることで、端子収容部３０が角度位置から容易に脱落しない構造としている。ここでは、凸部対ＰＰＴは、第２の回転軸ＲＡ２周りに９０°角度間隔で設けられている。なお、凸部対ＰＰＴは９０°以外の角度間隔で設けられていてもよい。凸部対ＰＰＴを複数設けることにより、端子収容部３０の第２の回転軸ＲＡ２周りの角度位置を複数設定できる。
【００３９】
図１１に示すように、端子収容部３０の上下の両側面（対向側壁部３０Ｓ）には２対の円柱突起１１ａ、１１ｂが第２の回転軸ＲＡ２に平行に設けられている。２対の円柱突起１１ａ、１１ｂの各々は同軸に配置され、円柱突起１１ａ、１１ｂの対は第２の回転軸を中心とする円形の直径だけ離れている。端子収容部３０は、円柱突起１１ａ、１１ｂの間の中点が第２の回転軸ＲＡ２となるように、方向変換部２０の対の円弧溝２２にて保持される（図４）。すなわち、方向変換部２０及び端子収容部３０は、対の円弧溝２２内で一対の円柱突起１１ａ（１１ｂ）がそれぞれ滑動できるようにそれぞれ形成されている。これらにより、端子収容部３０は、第２の回転軸ＲＡ２を中心に方向変換部２０に対して自転及び回動可能となる。図１１に示すように、端子収容部３０の前面側（Ｗ１）の側壁は、回動時に方向変換部２０に接触しないように、円柱側面３０Ｆとされている。円柱側面３０Ｆには電線ＫＢＬを通過させるための変換部開口部３０ＦＫが形成されている。また、円柱突起１１ａ、１１ｂの各々は斜め直線溝２１及び対の円弧溝２２から外れないように溝幅より大なる直径の頭部を有している。
【００４０】
（動作の説明）
（方向変換部２０と端子収容部３０の組み立て）
製造手順としては、まず、図１１のようにコネクタ端子ＣＮＴを端子収容部３０に嵌め込み固定する。次に、コネクタ端子ＣＮＴに接続されている電線ＫＢＬを、方向変換部２０底部２０Ａの開口部２５に通し、方向変換部２０の斜め直線溝２１の対に端子収容部３０の円柱突起１１ａ、１１ｂを通すことで両部品を基本的に図１２のように組合せる。
【００４１】
まず、端子収容部３０の円柱突起１１ａ、１１ｂを方向変換部２０の斜め直線溝２１の対に沿って、方向変換部２０を端子収容部３０にはめる（図１２ａ）。
【００４２】
次に、円柱突起１１ａ、１１ｂの上部と下部が円弧溝２２の位置に到達した段階（図１２ｂ）で方向変換部２０を第２の回転軸ＲＡ２を中心に時計回りに回転させることで端子差込口ＣＩＰを背面方向（Ｗ２）に配置することが可能となる（図１２ｃ）。
【００４３】
次に、方向変換部２０を第１の回転軸ＲＡ１を中心に反時計回りに回転させることで方向変換部２０をコネクタベース部２ａに取り付ける。図１２ｃの配置の場合、組合せ後でも常に端子差込口ＣＩＰを背面方向（Ｗ２）に向けることが可能となる
一方、円柱突起１１ａ、１１ｂが円弧溝２２に到達した段階（図１２ｂ）で方向変換部２０を第２の回転軸ＲＡ２を中心に反時計回り（図１２ｄ）に回転させることで端子差込口ＣＩＰを右方向（Ｕ２）に配置することが可能になる。図１２ｄの配置の場合、端子差込口ＣＩＰの向きが第１の回転軸ＲＡ１に直交する平面内に配置されるので、図１２ｄの配置は、方向変換部２０の回動により、端子差込口ＣＩＰを背面方向（Ｗ２）以外の方向変換に利用される。
【００４４】
（コネクタベース部２ａへの方向変換部２０の組み込み）
次に、方向変換部２０の滑動突起２４の対をコネクタベース部２ａに設けてあるスリット３１の対にそれぞれ通し、方向変換部２０を第１の回転軸ＲＡ１を中心に反時計回りに回転させることで、図１３、図１４のように端子差込口ＣＩＰを所定方向に向けて、方向変換部２０をコネクタベース部２ａに取り付ける。
【００４５】
（端子差込口ＣＩＰを上方向（Ｖ１）及び左方向（Ｕ１）に設定）
上記図１２ｄの配置を利用して、図１３ａに示すように端子差込口ＣＩＰを斜め上方向（Ｖ１）に向けた状態でコネクタベース部２ａのスリット３１に通し、方向変換部２０を第１の回転軸ＲＡ１を中心に所定角度、反時計回りに回転させると、ベース底壁部２ｂの半円凹部３２（図５）と方向変換部２０の半円凸部２３（図９）が嵌合し、図１３ｂに示すように端子差込口ＣＩＰが上方向（Ｖ１）となる。
【００４６】
さらに、方向変換部２０を第１の回転軸ＲＡ１を中心に所定角度、反時計回りに回転させると、ベース底壁部２ｂの半円凹部３２（図５）と方向変換部２０の半円凸部２３（図９）が嵌合し、図１３ｃに示すように端子差込口ＣＩＰの左方向（Ｕ１）向きが可能となる。
【００４７】
（端子差込口ＣＩＰを下方向（Ｖ２）及び右方向（Ｕ２）に設定）
上記図１２ｄの配置を利用して、図１４ａに示すように端子差込口ＣＩＰを斜め下方向（Ｖ２）に向けた状態でコネクタベース部２ａのスリット３１に通し、方向変換部２０を第１の回転軸ＲＡ１を中心に所定角度、反時計回りに回転させると、ベース底壁部２ｂの半円凹部３２（図５）と方向変換部２０の半円凸部２３（図９）が嵌合し、図１４ｂに示すように端子差込口ＣＩＰが下方向（Ｖ２）となる。
【００４８】
さらに、方向変換部２０を第１の回転軸ＲＡ１を中心に所定角度、反時計回りに回転させると、ベース底壁部２ｂの半円凹部３２（図５）と方向変換部２０の半円凸部２３（図９）が嵌合し、図１４ｃに示すように端子差込口ＣＩＰの右方向（Ｕ２）向きが可能となる。
【００４９】
本実施例によれば、電子機器のコネクタベース部２ａとベース底壁部２ｂ間に対の円弧溝ＣＡＧを設けたことで、方向変換部２０がコネクタベース部２ａの第１の回転軸ＲＡ１（法線方向）を中心に回転できる構造となり上方向（Ｖ１）、下方向（Ｖ２）、左方向（Ｕ１）、右方向（Ｕ２）、背面方向（Ｗ２）の５方向の配置を実現できる。
【００５０】
上記実施例では、方向変換部２０がコネクタベース部２ａの対の円弧溝ＣＡＧに沿って滑動する滑動突起２４を備え、かつ、端子収容部３０が方向変換部２０の対の円弧溝２２内でそれぞれ滑動できる一対の円柱突起１１ａ（１１ｂ）を備えている場合を説明している。本発明は、これに限定されず、変形例では、コネクタベース部２ａ及び方向変換部２０は、一方が備える対の円弧溝内で他方が備える対の突起が滑動できるように形成され、かつ、方向変換部２０及び端子収容部３０も、一方が備える対の円弧溝内で他方が備える対の突起が滑動できるように形成されていればよい。例えば、コネクタベース部２ａに対の突起を設けて、方向変換部２０に第１の回転軸に対称に形成された対の円弧溝を設けてもよい。さらに、方向変換部２０に対の突起を設けて、端子収容部３０に第１の回転軸に対称に形成された対の円弧溝を設けてもよい。すなわち、本発明は、コネクタベース部２ａ及び方向変換部２０（第１の回動部）が第１の回転軸に対称に形成された対の円弧溝及び対の円弧溝内でそれぞれ滑動する対の突起を相補的に有し、かつ、方向変換部２０（第１の回動部）及び端子収容部３０（第２の回動部）は、第２の回転軸に対称に形成された対の円弧溝及び対の円弧溝内でそれぞれ滑動する対の突起を相補的に有するように構成されることを含む。
【００５１】
本実施例のコネクタ構造は卓上および壁掛け設置型電話機の本体スタンド構造に適用した例を説明したが、スタンド構造電話機以外の電話機や。電話機以外のルータ等の電子機器にも適用できる。
【符号の説明】
【００５２】
１  電子機器
１ａ  筐体
２  ベース部
２ａ  コネクタベース部
３  スタンド
１０  コネクタ構造
１１ａ、１１ｂ  円柱突起
２０  方向変換部
３０  端子収容部
２４  滑動突起
２１、２２  溝
３１  コネクタベース部２ａのスリット
ＣＮＴ  コネクタ端子
ＣＡＧ  対の円弧溝
ＲＡ１  第１の回転軸
ＲＡ２  第２の回転軸
ＫＢＬ  電線
【図１】
2020035569.tif 000003
【図２】
2020035569.tif 000004
【図３】
2020035569.tif 000005
【図４】
2020035569.tif 000006
【図５】
2020035569.tif 000007
【図６】
2020035569.tif 000008
【図７】
2020035569.tif 000009
【図８】
2020035569.tif 000010
【図９】
2020035569.tif 000011
【図１０】
2020035569.tif 000012
【図１１】
2020035569.tif 000013
【図１２】
2020035569.tif 000014
【図１３】
2020035569.tif 000015
【図１４】
2020035569.tif 000016